(57)【要約】【課題】擬似路面の表面状態を一定に保持し得るゴム試験機の擬似路面交換時期確定方法およびそれに用いるゴム試験機を提供すること。【解決手段】本発明のゴム試験機の擬似路面交換時期確定方法は、擬似路面に接触させつつゴム試験片に負荷を与えることによりゴムの抵抗特性を評価するゴム試験機において、擬似路面の交換時期を確定するにあたり、前記負荷に起因して発生する前記擬似路面のエネルギーの累積値（ｃＥ）に基づいて、前記交換時期を確定することを特徴とする。【選択図】図３
2010210397.tif 000002
【特許請求の範囲】
【請求項１】
擬似路面に接触させつつゴム試験片に負荷を与えることによりゴムの抵抗特性を評価するゴム試験機において、擬似路面の交換時期を確定するにあたり、
前記負荷に起因して発生する前記擬似路面のエネルギーの累積値（ｃＥ）に基づいて、前記交換時期を確定することを特徴とするゴム試験機の擬似路面交換時期確定方法。
【請求項２】
前記ゴム試験片における摩耗速度（ｖ）の平均値（ｖμ）が式（Ａ）から算出される値に等しくなるときまでの前記エネルギーの累積値（ｃＥ）に基づいて、前記交換時期を確定することを特徴とする請求項１に記載のゴム試験機の擬似路面交換時期確定方法。
{ゴム試験片の摩耗速度の初期平均値（ｖμ0）}−３×{ゴム試験片の初期標準偏差値（σ0）}・・・（Ａ）
【請求項３】
前記ゴム試験片における摩耗速度（ｖ）の最上値（ｖmax）が式（Ａ）から算出される値に等しくなるときまでの前記エネルギーの累積値（ｃＥ）に基づいて、前記交換時期を確定することを特徴とする請求項１に記載のゴム試験機の擬似路面交換時期確定方法。
{ゴム試験片の摩耗速度の初期平均値（ｖμ0）}−３×{ゴム試験片の初期標準偏差値（σ0）}・・・（Ａ）
【請求項４】
前記エネルギーが、摩擦エネルギーであることを特徴とする請求項１〜３のいずれかに記載の擬似路面交換時期確定方法。
【請求項５】
前記ゴム試験機が摩耗試験機であることを特徴とする請求項１〜４のいずれかに記載のゴム試験機の擬似路面交換時期確定方法。
【請求項６】
前記ゴム試験機がランボーン摩耗試験機であることを特徴とする請求項１〜５のいずれかに記載のゴム試験機の擬似路面交換時期確定方法。
【請求項７】
請求項１〜６のいずれかに記載のゴム試験機の擬似路面交換時期確定方法に用いることを特徴とするゴム試験機。
【発明の詳細な説明】
【技術分野】
【０００１】
本発明は、より正確な試験データを取得するためのゴム試験機の擬似路面交換時期確定方法およびそれに用いるゴム試験機に関する。
【背景技術】
【０００２】
従来、自動車タイヤ等のゴム製品に採用するゴム材料を開発するに際し、種々のゴム試験機を用いることにより、多岐に亘るゴムの抵抗特性の測定が行われている。こうしたゴム試験機では、試験環境を可能な限り実際の使用環境に近似させて、ゴム材料の良否をより正確に判断し得るものであることが必要である。
【０００３】
例えば、ランボーン摩耗試験機のようなゴム試験機では、相互に独立して回転する円盤状のゴム試験片と擬似路面とを円周面で規定の付加力で押し付けるとともに、両者をスリップさせることで試験片を摩耗させてその摩耗量を測定するものや、擬似路面に対して一定のスリップ率になるようにゴム試験片を回転させることで試験片に付加される摩擦力を検出し、この摩擦力とスリップ率より得られる摩擦エネルギーの値からゴム摩擦度を測定するものもある（特許文献１参照）。
【０００４】
こうしたゴム試験機においては、ゴム試験片だけでなく擬似路面にも付加力によって摩耗等の疲労による変化が生じ、必然的に得られる測定値も変動し得る状況下となる。したがって、かかるゴム試験機から客観的な測定値を得るためには、一定の使用期間経過後に擬似路面を交換せざるを得ない。そのため、従来より擬似路面の表面状態の変化を把握しながら、累積使用時間や累積使用回数などを基準として擬似路面の交換時期を判断している。
【先行技術文献】
【特許文献】
【０００５】
【特許文献１】特開平１１−３２６１６９号公報
【発明の概要】
【発明が解決しようとする課題】
【０００６】
しかしながら、必要とされる試験条件は過酷な条件下のものから緩和な条件下のものまで多種多様であり、累積使用時間や累積使用回数などを基準として擬似路面の交換時期を判断するのでは、擬似路面の表面状態の変動が大きく、擬似路面の交換時期の前後を通して試験環境を一定に保持するのは極めて困難である。
【０００７】
そこで、本発明は、擬似路面の表面状態を一定に保持し得るゴム試験機の擬似路面交換時期確定方法およびそれに用いるゴム試験機を提供することを目的としている。
【課題を解決するための手段】
【０００８】
本発明者は、上記課題を解決すべく、擬似路面に発生するエネルギーの累積値に基づいて擬似路面の交換時期を確定する方法を見出し、本発明を完成させるに至った。
すなわち、本発明のゴム試験機の擬似路面交換時期確定方法は、
擬似路面に接触させつつゴム試験片に負荷を与えることによりゴムの抵抗特性を評価するゴム試験機において、擬似路面の交換時期を確定するにあたり、
前記負荷に起因して発生する前記擬似路面のエネルギーの累積値に基づいて、前記交換時期を確定することを特徴とする。
【０００９】
また、前記ゴム試験片における摩耗速度（ｖ）の平均値（ｖμ）が式（Ａ）から算出される値に等しくなるときまでの前記エネルギーの累積値（ｃＥ）に基づいて、前記交換時期を確定するのが望ましい。
{ゴム試験片の摩耗速度の初期平均値（ｖμ0）}−３×{ゴム試験片の初期標準偏差値（σ0）}・・・（Ａ）
さらに、前記ゴム試験片における摩耗速度（ｖ）の最上値（ｖmax）が前記式（Ａ）から算出される値に等しくなるときまでの前記エネルギーの累積値（ｃＥ）に基づいて、前記交換時期を確定してもよい。
【００１０】
前記エネルギーは、摩擦エネルギーであるのが好ましい。
また、前記ゴム試験機は摩耗試験機であってもよく、ランボーン摩耗試験機であるのが好ましい。
本発明のゴム試験機は、上記ゴム試験機の擬似路面交換時期確定方法に用いることを特徴とする。
【発明の効果】
【００１１】
本発明のゴム試験機の擬似路面交換時期確定方法によれば、擬似路面に発生するエネルギーの累積値に基づいて擬似路面の交換時期を確定するため、試験条件の相違に伴う擬似路面の表面状態の変動を可能な限り一定に保持することができ、かかるゴム試験機から得られる測定結果を実際の使用環境に近似した、より正確なものとすることができる。
【図面の簡単な説明】
【００１２】
【図１】本発明のゴム試験機の擬似路面交換時期確定方法を実施するためのゴム試験機の一例であるランボーン摩耗試験機の要部を示す平面図である。
【図２】ランボーン摩耗試験機における従来の擬似路面交換時期確定方法に用いるグラフである。
【図３】ランボーン摩耗試験機における本発明の擬似路面交換時期確定方法に用いるグラフである。
【図４】ランボーン摩耗試験機における従来の擬似路面交換時期確定方法に用いるグラフである。
【図５】ランボーン摩耗試験機における本発明の擬似路面交換時期確定方法に用いるグラフである。
【図６】本発明に係るゴム試験機の擬似路面交換時期確定方法における代表的な処理手順を示したフローチャートである。
【発明を実施するための形態】
【００１３】
以下、本発明について、必要に応じて図面を参照しつつ詳細に説明する。
本発明のゴム試験機の擬似路面交換時期確定方法は、
擬似路面に接触させつつゴム試験片に負荷を与えることによりゴムの抵抗特性を評価するゴム試験機において、擬似路面の交換時期を確定するにあたり、
前記負荷に起因して発生する前記擬似路面のエネルギーの累積値に基づいて、前記交換時期を確定することを特徴としている。
【００１４】
上記ゴム試験機は、ゴム試験片の摩耗特性や摩擦特性などを評価するために用いられるものである。かかるゴム試験機は、砥石、研磨布、研磨紙、金属刃、板、粉砕石などから形成された擬似路面を備えており、この擬似路面とゴム試験片を接触させながら、押圧力、回転力、回転方向の接線力、回転方向に対して垂直である横力、スリップ率、スリップ角などの負荷や因子を与えた際、その負荷や因子に対するゴム試験片の抵抗特性を測定するものである。
【００１５】
上記負荷に起因して、擬似路面に摩擦エネルギーなどのエネルギーが発生する。かかるエネルギーは試験を重ねるごとに擬似路面の内部に蓄積されていくが、本発明では、試験中におけるエネルギーの値を計測し、これらの値を加算した累積値を基準として、上記擬似路面の交換時期を確定する。
【００１６】
具体的な例として、ランボーン摩耗試験機（ＪＩＳ Ｋ６２６４参照）を挙げて説明する。図１にランボーン摩耗試験機の要部の平面図を示す。本装置は、一端に走行路面を模擬した擬似路面（回転体の研磨ホイール）１が取り付けられた駆動軸２を備えている。駆動軸２の他端には回転駆動手段として図示しないサーボモータが連結されている。サーボモータにより、駆動軸２を介して、擬似路面１は、所定の角速度で回転される。
【００１７】
また、駆動軸２と平行に駆動軸３が延在されて配設され、駆動軸３の一方の端部には、円盤状のゴム試験片４を保持するホルダー５が設けられ、他方の端部には、上記サーボモータとは別個の、回転駆動手段としての図示しないサーボモータが連結されると共に、その中間部に、偏角許容型カップリング（自在継手）２０、クラッチ６およびトルクメータ１３等が設けられている。
【００１８】
ここで、ホルダー５は、駆動軸３側に設けた受けパッド５ａと、この受けパッド５ａに対して水平に進退変位されるクランプパッド５ｂからなる。これらの両パッド５ａ、５ｂは、それらの間に配置したゴム試験片４をそれの厚み方向から所定の力で挟持して、そのゴム試験片４の周面を、擬似路面１の周面に対向させて位置させる。従って、駆動軸３の回転作動に基づき、ゴム試験片４が、両パッド５ａ、５ｂとともに、その駆動軸３と等速で回転する。
【００１９】
また、クラッチ６は、接続されることにより、サーボモータによる回転力を駆動軸３に伝達する。なお、クラッチ６が解除されると、サーボモータによる回転力が駆動軸３に伝達されず、ゴム試験片４が自由回転する。
【００２０】
駆動軸３は、可動ベース７上に取り付けられている。そして、この可動ベース７は、固定ベース８上に駆動軸３の軸線と直交する方向に敷設されたガイドレール９に進退変位可能に取り付けられている。よって、駆動軸３は、駆動軸２との平行状態を維持したまま、それに接近し、また離隔変位することができる。
【００２１】
可動ベース７は、図示しない荷重負荷装置により移動され、これにより、擬似路面１とゴム試験片４とが接触しながら負荷が与えられ、圧着することとなる。擬似路面１とゴム試験片４とが圧着すると、ゴム試験片４に負荷がかかり、エネルギー（摩擦エネルギー）が発生する。なお、この摩擦エネルギーは、計測器（図示せず）により検出することができる。かかる計測器は、ゴム試験片４に発生する摩擦エネルギーを随時計測できるだけでなく、計測した値の累積値も算出し、記録することができる。
【００２２】
なお、さらに上記計測した累積値を随時表示するパネル（図示せず）を備えていてもよく、また後述するように、設定した擬似路面を交換する時期を確定するための数値（ｃＥex）と計測した摩擦エネルギーの累積値（ｃＥ）とが一致したことを通知する機能を備えた機器（図示せず）を接続してもよい。
【００２３】
ここで、上記ランボーン摩耗試験機を用いた場合における、本発明の擬似路面交換時期確定方法について、従来の方法と比較しつつさらに詳細に述べる。
【００２４】
従来、例えば、図２に示すように累積使用時間（または累積使用回数）を擬似路面の交換時期の判断基準としていた。具体的には、縦軸を摩耗速度（ｖ）（摩耗量／時間の指数）、横軸を累積使用時間（単位：時間）としてグラフ化し、各測定値をプロットしてある特定の累積使用時間に達したときに擬似路面を交換する。図２では、プロット□は以下に示す比較的緩和な試験条件下での測定値を表し、プロット×は以下に示す比較的過酷な試験条件下での測定値を表す。また、各々の試験条件下における摩耗速度（ｖ）の平均値（μ）を細線で、「摩耗速度（ｖ）±３×標準偏差（±３σ）」の値を破線で表す。
【００２５】
[試験条件]
比較的緩和な試験条件：荷重＝４５Ｎ、スリップ率＝１０％
比較的過酷な試験条件：荷重＝４５Ｎ、スリップ率＝２５％
【００２６】
一般に摩耗速度は試験を重ねるごとに低下するため、ある時点で擬似路面を交換する必要が生じるが、擬似路面の交換前後や試験条件の相違によって擬似路面の表面状態が変動し得るので、こうした変動を可能な限り低減しなければならない。しかしながら、仮に図２において擬似路面を交換する場合、その交換時期を測定時の摩耗速度（ｖ）の平均値（ｖμ）が下記式（Ａ）から算出される値に等しくなるとき（ｖμ＝ｖμ0−３σ0）であると確定すると、プロット□を基準とすれば太線で示すように６３時間であるのに対し、プロット×を基準とすれば点線で示すように７時間経過した時点となり、交換時期が試験条件によって大きく相違することとなる。ただし、摩耗速度の初期平均値（ｖμ0）を１００として初期標準偏差値（σ0）を求め、ｖμ0を基準に指数化した測定時の摩耗速度（ｖ）の値を元にその平均値（ｖμ）および標準偏差（σ）を求める。
{ゴム試験片の摩耗速度の初期平均値（ｖμ0）}−３×{ゴム試験片の初期標準偏差値（σ0）}・・・（Ａ）
すなわち、擬似路面の交換時期を特定の累積使用時間を基準に判断すると、かかる擬似路面の表面状態が大きく変動するおそれがある。
【００２７】
なお、図２において、具体的な各数値は以下のとおりである。
ｖμ0＝１００、σ0＝１．８、ｖμ0−３σ0＝９４．６
【００２８】
これに対し、本発明においては、図３に示すように擬似路面の摩擦エネルギーの累積値（ｃＥ）（単位：ＫＪ）を判断基準とする。具体的には、図２と同様に縦軸を摩耗速度（ｖ）（摩耗量／時間の指数）とする一方、横軸を擬似路面の摩擦エネルギーの累積値（ｃＥ）（単位：ＫＪ）としてグラフ化し、各測定値をプロットしてある特定の摩擦エネルギーの累積値（ｃＥex）に達したときに擬似路面を交換する。図３では、プロット□は上記と同一の比較的緩和な試験条件下での測定値を表し、プロット×は上記と同一の比較的過酷な試験条件下での測定値を表す。また、各々の試験条件下における摩耗速度（ｖ）の平均値（μ）を細線で、「摩耗速度（ｖ）±３×標準偏差（±３σ）」の値を点線で表す。ただし、摩耗速度の初期平均値（ｖμ0）を１００として初期標準偏差値（σ0）を求め、ｖμ0を基準に指数化した測定時の摩耗速度（ｖ）の値を元にその平均値（ｖμ）および標準偏差（σ）を求める点は上記と同様である。図３からも明らかなように、摩擦エネルギーの累積値（ｃＥ）に対する摩耗速度（ｖ）の値は、試験条件の相違による変動が極めて少なく、同じような分布の広がり幅（バラつき）を生じる。したがって、各試験条件下における摩耗速度（ｖ）の平均値（ｖμ）および３×標準偏差（±３σ）の値においてもバラつきが少ない。すなわち、擬似路面を交換する時期を、測定時の摩耗速度（ｖ）の平均値（ｖμ）が上記式（Ａ）から算出される値に等しくなったとき（ｖμ＝ｖμ0−３σ0）までの摩擦エネルギーの累積値（ｃＥex）を基準にして確定すれば、各試験条件ともに擬似路面の交換時期とすべき摩擦エネルギーの累積値（ｃＥex）が８４ＫＪでほぼ一致し、試験条件の相違や擬似路面の交換時期の前後にかかわらず、一定の表面状態を保持した擬似路面を確保することができる。
【００２９】
なお、図３において、具体的な各数値は以下のとおりである。
ｖμ0＝１００、σ0＝１．８、ｖμ0−３σ0＝９４．６
上記各数値はゴム試験片、ゴム試験機、擬似路面の材質のほか、種々の要因により変動しうるが、ｖμ0が１００であるのに対し、σ0は、通常０〜１０、好ましくは０〜５、より好ましくは０〜１である。
【００３０】
図３では、擬似路面交換時期での摩擦エネルギーの累積値（ｃＥex）は上記のとおりであり、試験条件やゴム試験片のゴム特性などの要因により変動し得るが、これらの要因に応じてかかる値を予め擬似路面の交換時期のための数値（ｃＥex）として決定し、ゴム試験機に表示される試験中における摩擦エネルギーの累積値（ｃＥ）を目視により確認しつつ試験者が交換時期を確定してもよく、また、かかる値を予め擬似路面の交換時期のための数値（ｃＥex）としてゴム試験機に設定し、試験中における摩擦エネルギーの累積値（ｃＥ）がこの数値（ｃＥex）に到達したことを通知させるような機能をゴム試験機に付与すれば、より容易に交換時期を確定することができる。
【００３１】
なおこの場合、擬似路面を交換する時期を、測定時の摩耗速度（ｖ）の最上値（ｖmax）が上記式（Ａ）から算出される値に等しくなったとき（ｖmax＝ｖμ0−３σ0）までの前記エネルギーの累積値（ｃＥ）に基づいて、確定してもよい。
【００３２】
さらに、上記式（Ａ）の代わりに下記式（Ｂ）を元にして擬似路面を交換する時期を確定するのが望ましい。
{ゴム試験片の摩耗速度の初期平均値（ｖμ0）}−２×{ゴム試験片の初期標準偏差値（σ0）}・・・（Ｂ）
【００３３】
上記（Ｂ）式を元に擬似路面を交換する時期を確定する例として、図２〜３と同様、従来の方法と本発明に係る方法とを対比すべく、図４に累積使用時間（または累積使用回数）を判断基準としていた従来の方法を示し、図５に本発明に係る方法を示す。なお、摩耗速度の初期平均値（ｖμ0）を１００とする点、並びに初期標準偏差値（σ0）、測定時の摩耗速度（ｖ）とその平均値（ｖμ）、および標準偏差（σ）を求める方法は上記図２〜図３の場合と同様である。
【００３４】
具体的には、図４では、図２と同様、縦軸を摩耗速度（ｖ）（摩耗量／時間の指数）、横軸を累積使用時間（単位：時間）としてグラフ化し、各測定値をプロットしてある特定の累積使用時間に達したときに擬似路面を交換する。プロット□およびプロット×も上記と同義である。また、各々の試験条件下における摩耗速度（ｖ）の平均値（μ）を細線で、「摩耗速度（ｖ）±２×標準偏差（±２σ）」の値を破線で表す。
【００３５】
仮に図４において擬似路面を交換する場合、その交換時期を測定時の摩耗速度（ｖ）の平均値（ｖμ）が上記式（Ｂ）から算出される値に等しくなるとき（ｖμ＝ｖμ0−２σ0）であると確定すると、プロット□を基準とすれば太線で示すように５６時間であるのに対し、プロット×を基準とすれば点線で示すように６時間経過した時点となり、図２と同様、交換時期が試験条件によって大きく相違することとなる。
【００３６】
なお、図４において、具体的な各数値は以下のとおりである。
ｖμ0＝１００、σ0＝１．８、ｖμ0−２σ0＝９６．４
【００３７】
これに対し、本発明においては、図５に示すように擬似路面の摩擦エネルギーの累積値（ｃＥ）（単位：ＫＪ）を判断基準とする。具体的には、図３と同様に縦軸を摩耗速度（ｖ）（摩耗量／時間の指数）、横軸を擬似路面の摩擦エネルギーの累積値（ｃＥ）（単位：ＫＪ）としてグラフ化し、各測定値をプロットしてある特定の摩擦エネルギーの累積値（ｃＥex）に達したときに擬似路面を交換する。プロット□およびプロット×も上記と同義である。また、各々の試験条件下における摩耗速度（ｖ）の平均値（μ）を細線で、「摩耗速度（ｖ）±２×標準偏差（±２σ）」の値を点線で表す。図５からも明らかなように、摩擦エネルギーの累積値（ｃＥ）に対する摩耗速度（ｖ）の値は、試験条件の相違による変動が極めて少なく、同じような分布の広がり幅（バラつき）を生じる。したがって、各試験条件下における摩耗速度（ｖ）の平均値（ｖμ）および２×標準偏差（±２σ）の値においてもバラつきが少なく、このバラつきは上記３×標準偏差（±３σ）の値を基準とした図３よりも少なく好ましい。すなわち、擬似路面を交換する時期を、測定時の摩耗速度（ｖ）の平均値（ｖμ）が上記式（Ａ）から算出される値に等しくなったとき（ｖμ＝ｖμ0−２σ0）までの摩擦エネルギーの累積値（ｃＥex）を基準にして確定すれば、各試験条件ともに擬似路面交換時期とすべき摩擦エネルギーの累積値（ｃＥex）が６３ＫＪでほぼ一致し、試験条件の相違や擬似路面の交換時期の前後にかかわらず、一定の表面状態を保持した擬似路面を確保することができる。
【００３８】
なお、図５において、具体的な各数値は以下のとおりである。
ｖμ0＝１００、σ0＝１．８、ｖμ0−２σ0＝９６．４
上記各数値が種々の要因により変動しうる点、およびσ0の好適な範囲は図３の場合と同様である。
【００３９】
図５では、擬似路面交換時期での摩擦エネルギーの累積値（ｃＥex）は上記のとおりであり、試験条件やゴム試験片のゴム特性などの要因により変動し得るが、これらの要因に応じてかかる値を予め擬似路面の交換時期のための数値（ｃＥex）として決定すればよい点は上記図３の場合と同様である。
【００４０】
なおこの場合においても、擬似路面を交換する時期を、測定時の摩耗速度（ｖ）の最上値（ｖmax）が上記式（Ｂ）から算出される値に等しくなったとき（ｖmax＝ｖμ0−２σ0）までの前記エネルギーの累積値（ｃＥ）に基づいて、確定してもよい。
【００４１】
図６は、本発明に係るゴム試験機の擬似路面交換時期確定方法における代表的な処理手順を示したフローチャートである。ここでは、予め擬似路面を交換する時期を確定するための数値（ｃＥex）を設定する機能を有するゴム試験機を例として挙げる。
【００４２】
まず、スタート後、ステップ１０１において未使用の擬似路面をゴム試験機に取り付ける。次いで、ステップ１０２において擬似路面を交換する時期を確定するための数値（ｃＥex）を設定する。この場合、予めゴム試験機を本稼動させる前にゴム試験機を仮稼動させて、所望の初期値を得て、これらの値から上記設定すべき擬似路面を交換する時期を確定するための数値（ｃＥex）を算出し、その値を設定してもよい。所望の初期値としては、例えば、上記ランボーン摩耗試験機の場合、複数の摩耗速度値（ｖ）およびこれらの平均値（ｖμ0）、標準偏差値（σ0）および摩耗速度（ｖ）の最上値（ｖmax）が挙げられる。
【００４３】
次にステップ１０３において、ゴム試験機を本稼動させるとともに、随時擬似路面に発生したエネルギーを計測する。続いてステップ１０４において、これら計測したエネルギーの累積値（ｃＥ）も記録する。この際、ゴム試験機にエネルギーの累積値（ｃＥ）を随時表示させるためのパネル等を備えさせてもよい。
【００４４】
そしてステップ１０５において、ステップ１０４で記録した累積値（ｃＥ）が擬似路面の交換時期確定のための数値（ｃＥex）以上であるか否かを判定する。累積値（ｃＥ）がかかる数値（ｃＥex）を超えていなければ上記ステップ１０３へ戻る。もし超えていれば、ステップ１０６に移行する。
【００４５】
ステップ１０６において、擬似路面の交換時期を確定し、擬似路面を交換する作業を行う。この場合、ステップ１０３においてパネル等に随時表示されるエネルギーの累積値（ｃＥ）を目視することにより交換時期を確定してもよく、またゴム試験機に擬似路面の交換時期に到達したことを試験者に通知する機能を付与し、その通知に応じて交換時期を確定してもよい。
【００４６】
上述のように、本発明における好ましいゴム試験機としてランボーン摩耗試験機を例示したが、かかるランボーン摩耗試験機のような摩耗試験機に限らず、例えばＤＩＮ摩耗試験機、ウイリアムス摩耗試験機、アクロン摩耗試験機、ピコ摩耗試験機、テーバー摩耗試験機、ＮＢＳ摩耗試験機等の摩耗試験機；、ブレーキ摩擦試験機、高速加圧摩擦試験機等の摩擦試験機などを用いて実施することもできる。
【符号の説明】
【００４７】
１    研磨ホイール
２、３  駆動軸
４    ゴム試験片
５    ホルダー
５ａ  受けパッド
５ｂ  クランプパッド
６    クラッチ
７    可動ベース
８    固定ベース
９    ガイドレール
１３  トルクメータ
２０  偏角許容型カップリング
【図１】
2010210397.tif 000003
【図２】
2010210397.tif 000004
【図３】
2010210397.tif 000005
【図４】
2010210397.tif 000006
【図５】
2010210397.tif 000007
【図６】
2010210397.tif 000008